(57)【特許請求の範囲】
【請求項１】
複数の選択肢を上方から下方でかつ左右方向に順次配置されるＮ行Ｍ列のマトリックス配列で表示画面上に一覧表示し、座標指示装置からの操作指示に基づいて、当該一覧表示される複数の前記選択肢から特定の選択肢を選択する情報表示装置の表示方法であって、
前記座標指示装置の座標信号を第１のモードと第２のモードに切り替える切り替え手段の操作信号を受け付けて、
前記第１のモードでは、Ｙ軸方向の座標信号に基づいて倍率を変化させ、Ｘ軸方向の座標信号に基づいて左右方向の画面をスクロールさせるとともに、前記倍率の変化に伴う表示される行数の増減に対応して、表示される行数で前記一覧表示の配列を変更し、
前記第２のモードでは、予め設定された一覧表示の所定の位置の前記選択肢をフォーカス状態として、Ｙ軸方向及びＸ軸方向の座標信号に基づいて前記フォーカス状態を移動させることを特徴とする情報処理装置の表示方法。
【請求項２】
前記請求項１記載の情報処理装置の表示方法において、
前記座標指示装置はタッチパッドであり、前記切り替え手段は前記タッチパッドにかかるタッチの圧力を検知する圧力検知器であって、
前記圧力検知器の値が予め設定される圧力を超えているか否かにより、前記第１のモードと第２のモードを切り替える
ことを特徴とする情報表示装置の表示方法。
【請求項３】
請求項１または２記載の情報表示装置の表示方法において、
前記決定操作手段から操作指示を受け付けて、前記フォーカス状態の選択肢に予め割り当てられている機能を実行する
ことを特徴とする情報表示装置の表示方法。
【発明の詳細な説明】
【技術分野】
【０００１】
本発明は、表示画面上に複数の操作ボタンを備えたメニュー画面や操作画面などの選択画面を表示し、ポインティングデバイスの操作によりカーソルを移動させて、前記選択画面の各種操作を実行する情報表示装置の表示方法に関するものである。
【背景技術】
【０００２】
近年、デジタル放送や各種のコンテンツのデジタル化の普及に伴い大量の情報がテレビジョン受像機の表示画面に表示されるようになっている。しかしながら、このテレビジョン受像機は、複数の選択肢の１つをフオーカス状態とし、このフオーカスされた選択肢をリモコンに設けた十字キーで移動させることで、所望の選択肢を選択可能としている。
【０００３】
しかしながら、リモコンの十字キーでは１つの選択肢の移動しかできないため、フオーカスを大量に移動させたい場合は、何度も十字キーを操作しなければならない。
【０００４】
そこで、従来技術においては、デジタル放送環境下におけるＥＰＧ操作やそれに伴うスクロール操作等を可能な限りシンプルで分かり易い操作でスピーディーに行い、且つユーザーの熟練度に依らず、ユーザーが快適に操作できるように、リモコンにトラックパッド部を備え、このトラックパッド部の主動作に応じて従動作する可動手段を備え、前記トラックパッド部の押し込み、またはスライド動作に応じてスイッチング操作を行うスイッチ手段を有するものが提案されている。
【０００５】
【特許文献１】特開２００３−３４８３７０号公報
【発明の開示】
【発明が解決しようとする課題】
【０００６】
しかしながら、前記従来技術によれば、ＥＰＧ（電子番組ガイド：Ｅｌｅｃｔｒｏｎｉｃ Ｐｒｏｇｒａｍ Ｇｕｉｄｅ）などの固定された表形式の一覧表には採用できたとしても、大量のサムネールやアイコンなどを拡大したり縮小したりするなどして視覚で確認しながら検索するには適していない。
【０００７】
そこで、この発明の目的は、大量のサムネールやアイコンなどを拡大縮小可能に一覧表示しながら検索することができる情報表示装置の表示方法を提供することにある。
【課題を解決するための手段】
【０００８】
前記目的を達成するために、本発明に係る情報表示装置の表示方法は、複数の選択肢を上方から下方でかつ左右方向に順次配置されるＮ行Ｍ列のマトリックス配列で表示画面上に一覧表示し、座標指示装置からの操作指示に基づいて、当該一覧表示される複数の前記選択肢から特定の選択肢を選択する表示方法であって、前記座標指示装置の座標信号を第１のモードと第２のモードに切り替える切り替え手段の操作信号を受け付けて、前記第１のモードでは、Ｙ軸方向の座標信号に基づいて倍率を変化させ、Ｘ軸方向の座標信号に基づいて左右方向の画面をスクロールさせるとともに、前記倍率の変化に伴う表示される行数の増減に対応して、表示される行数で前記一覧表示の配列を変更し、前記第２のモードでは、予め設定された一覧表示の所定の位置の前記選択肢をフォーカス状態として、Ｙ軸方向及びＸ軸方向の座標信号に基づいて前記フォーカス状態を移動させる。
【発明の効果】
【０００９】
本発明によれば、大量のコンテンツを倍率にあわせて一覧表示して、目的のコンテンツを簡単に選択することができる。
【発明を実施するための最良の形態】
【００１０】
以下、図１から図１０を参照して、この発明に係る情報表示装置を具体的に説明する。以下の説明では、情報表示装置の１つの実施の形態として、テレビジョン受像機を事例に説明するが、パーソナルコンピュータやゲームなどでも適用することができる。ここで、図１はテレビジョン受像機の概要図である。図２はテレビジョン受像機の装置ブロック図である。図３はコンテンツ検索フロー図である。図４はコンテンツ検索画面図である。図５、図８はコンテンツ閲覧フロー図である。図６、図７、図９、図１０はコンテンツ閲覧画面の配列図である。
【００１１】
先ず、図１を参照して、この実施の形態に係るテレビジョン受像機の概要を説明する。図１において、この実施の形態に係るテレビジョン受像機は、表示部１０１を備えた受像機本体１００と、この受像機本体１００の各種の操作を入力するリモコン５０とから構成される。受像機本体１００は、１つの筐体に表示部１０１や記憶部１０２（図２で図示）などを収めた一体型の極一般的なテレビジョン受像機でも良いし、表示部１０１を他の装置と独立して設けた表示部分離型の筐体構造でも良い。ここでは、一体型のテレビジョン受像機で説明している。
【００１２】
また、リモコン５０は、表示部１０１に表示されるフォカス状態（選択状態）のいどう選択操作（移動操作）をタッチパット部５１で行う遠隔操作型の操作指示装置である。この実施の形態では、赤外線信号を用いてチャンネル選局や各種の操作を遠隔操作できる事例で説明するが、これに限定されるものではなく、無線装置を備えたり、あるいは、コードを介して操作信号を受像機本体に指示する構造のものでも良い。また、この実施の形態においては、フォカス状態の選択操作をタッチパット部５１により行う事例で説明するが、リモコンなどに取り付けられ、手で把持した状態で指先で操作するポインティングデバイスにより操作するものでも良い。
【００１３】
このテレビジョン受像機は、受像機本体１００に内蔵したチューナ１０３（図２で図示）によりテレビ放送などのコンテンツの視聴ができる他、受像機本体１００に内蔵した制御部１１１がリモコン５０からの指示操作に基づいて、特定の機能が割り当てられた複数の操作ボタンやアイコン、あるいは写真画像や動画像などの選択枝４０を表示部１０１の表示画面１０１ａに表示し、これらの選択枝４０に対してタッチパット部５１で指示されるＸ座標とＹ座標からなる座標位置信号によりフォーカス状態を移動させ、このフォーカス状態を位置合わせすることにより選択し、この選択された選択枝４０に対し、特定の機能が割り当てられていれば、その特定の機能を実行することができる。
【００１４】
そして、このテレビジョン受像機の大きな特徴の１つは、座標指示装置であるタッチパット部５１を備えたリモコン５０の操作に基づいて、表示画面１０１ａに複数の選択肢４０を一覧表示し、この一覧表示の倍率に伴った配列の変更と、一覧表示中の選択肢の選択をタッチパット部５１の指示操作で可能とした点にある。即ち、この実施の形態に係るタッチパット部５１は圧力検知部５４を備えてタッチの圧力検知が可能なものを採用している。そして、（ａ）図に示す軽いタッチでの操作では一覧表示の倍率に伴った配列の変更を受け付け、（ｂ）図に示す強いタッチでの操作では、一覧表示におけるフォカス状態の選択肢４０をＸ軸方向とＹ軸方向の移動操作として受け付けるようにしている。
【００１５】
即ち、この実施の形態では、座標指示装置であるタッチパット部５１の座標指示信号を、切り替え手段である圧力権粒５４を介して第１のモードと、第２のモードに切り替え、前記第１のモードでは、Ｙ軸方向の座標信号に基づいて倍率を変化させ、Ｘ軸方向の座標信号に基づいて左右方向の画面をスクロールさせるとともに、前記倍率の変化に伴う表示される行数の増減に対応して、表示される行数で前記一覧表示の配列を変更し、前記第２のモードでは、予め設定された一覧表示の所定の位置の前記選択肢をフォーカス状態として、Ｙ軸方向及びＸ軸方向の座標信号に基づいて前記フォーカス状態を移動させるようにしている。
【００１６】
この特徴によれば、軽いタッチ操作で、見やすい大きさの一覧表示に変更して、そのまま強くタッチ操作することで当該一覧表示に表示される選択肢の中から目的の選択肢４０を決定することができる。ここで、強いタッチ操作を受け付けた際には、斜線部で示すように一覧表示の所定の位置（ホームポジション）に表示される選択肢４０をフォーカス状態とし、このフォーカス状態をタッチパッド部５１の指示操作で移動させることができる。
【００１７】
この実施の形態では、圧力検知が可能なタッチパネル部５１の事例で説明するが、トラックボールやマウスなどの移動方向と移動量を決定できる座標指示装置と、この移動方向と移動量を２つの操作指示に切り替える操作ボタンなどの切り替え手段と組み合わせるようにしてもよい。
【００１８】
また、このテレビジョン受像機の大きな特徴の他の１つは、タッチパット部５１を備えたリモコン５０の操作に基づいて、表示画面１０１ａに複数の選択肢４０を一覧表示し、この一覧表示の倍率指示を軽いタッチ操作で受け付けて、この倍率指示にあった選択枝４０の配列を自動的に行う点にある。即ち、この実施の形態では、タッチパット部５１のＹ軸方向を値を倍率として定義し、Ｘ軸方向の動きをＹ軸方向の画面スクロールとして定義している。
【００１９】
一般に、表示画面１０１ａは、縦方向（Y軸方向）より横方向（X軸方向）の寸法が大きい横長の形状となっている。また、複数の選択枝４０を一覧表示して画面スクロールを行う場合、上下方向（Y軸方向）の動きより横方向（X軸方向）の画面スクロールが人間の目の動きに合っているということもできる。そこで、この実施の形態では、タッチパット部５１のY軸方向の動きを倍率として受け付け、そのY軸方向の移動量にあわせて連続した拡大や縮小を行う。また、X軸方向の動きは画面スクロールとして受け付け、そのX軸方向の移動量にあわせて連続して移動させる。
【００２０】
このように、この実施の形態では、タッチパット部５１の操作指示に基づいて、表示画面１０１ａの倍率の指示をY座標、左右方向（X軸方向）の画面スクロールの指示をX座標で受け付けることで操作性を向上させることができる。
【００２１】
このテレビジョン受像機の大きな特徴の他の１つは、拡大／縮小の倍率にあわせて配列を自動的に変更させる点にある。即ち、この実施の形態では、選択枝４０をN行M列のマトリックスで配置することを原則としている。図１では、選択枝４０の総数が２４個の事例で説明している。この事例では、４行６列の一覧表示を１つの表示画面１０１ａに表示するのが最小倍率の一覧表示となり、逆に、少なくとも１個の選択枝４０が表示画面１０１ａの縦幅一杯に表示されるのが最大倍率として定義する。なお、この最小倍率と最大倍率をさらに大きな倍率やさらに小さな倍率としてもよいが、その配列変更を行わないようにする。
【００２２】
この配列を実現するために、この実施の形態では、列は上から下へ、行は左から右の順で選択枝４０が配置される。したがって、選択枝４０の配列は、図１に示すように、左側行ｍ１の上から下へ、次の左側行ｍ２の上から下に順次配列される。また、配列変更では、n1行を基点として、倍率変更にともなって行数Nが増減するように定義する。
【００２３】
そして、倍率が拡大されて、n４m１の「選択肢４」が表示画面１０１ａから見えなくなると、即ち、表示画面１０１ａの下端がn３の領域に入ると、制御部１１１はn４m４の「選択枝４」をn１m２の位置に移動して、以後の選択枝４０を矢印Pにしたがって並び替えるようにする。縮小の場合はこの逆の制御をおこなう。
【００２４】
このように、この実施の形態では、拡大にともなって、表示画面１０１ａから見えなくなった選択枝n４m４の「選択枝４」を隣の行Nの上部に配列しなおすことにより、この「選択肢４」を見忘れることがない。そして、これらの選択肢４０は並び替えにより表示画面の右側に仮想的に配列されることとなるが、これらは、タッチパット部５１を介してX軸方向に移動させることにより一覧することができる。
【００２５】
なお、図１の事例では、表示画面１０１ａに「選択枝１」が見える事例で説明したが、例えば、もっと多くの選択枝４０があり、画面スクロールした状態の場合、所定の行（画面中央）の上部の選択枝４０が新たに並び替えのあった所定の行（画面中央）に位置するように画面をスクロールする。これにより、拡大により表示画面１０１ａから消えた選択枝４０は所定行の右側になるようにすることで、見忘れを軽減することができる。
【００２６】
以下、図２から図１０を参照して、さらに詳細に説明する。
【００２７】
図２において、リモコン５０は、タッチ操作と移動方向及び移動量を検知する座標検知部５３とタッチパッドにかかる圧力を検知する圧力検知部５４とを備えたタッチパット部５１と、決定操作を指示する決定操作スイッチ５６と、操作ボタン５７とを備えている。この他、前記赤外線発信窓から赤外線信号を送受信するための赤外線通信部５８と、操作プログラムや操作履歴などを格納する記憶部５９と、このリモコン５０の動作制御を統括的に制御する制御部６０と、この制御部６０の指示に基づいてリモコン５０受信機本体１００に振動を与える振動駆動部６１を含んで構成される。
【００２８】
一方、このリモコン５０の操作指示に基づいて動作する受像機本体１００は、操作のためのメニュー画面やリストを表示するための表示部１０１と、スピーカなどの音声出力部１０５と、アンテナ１０６からコンテンツを受信するためのチューナ１０３と、通信回線を介してインターネット１０７からコンテンツを取得するためのネットワーク通信部１０８と、リモコン５０からの赤外線信号を送受信するための赤外線通信部１０９と、各種のプログラムやコンテンツなどを格納する記憶部１１０と、これら受像機本体１００の各装置を統括的に制御する制御部１１１とを備えた極一般的な装置である。
【００２９】
なお、この実施の形態では、赤外線通信部５８と赤外線通信部１０９との間で双方向の通信を行うことにより、受像機本体１００から信号を受け取って、振動駆動部６１を介して利用者に知らせることができる。しかし、フォースフィードバックを実施する場合は双方向通信が必要だが、実施しない場合はリモコン５０から受像機本体１００への一方向通信で良い。また、この実施の形態では、赤外線通信を採用しているが、これに替えて電波による無線通信を採用してもよい。
【００３０】
次に、図３の動作フロー図と図４の画面図を参照して、コンテンツ検索操作を説明する。図３において、この実施の形態に係る受像機本体１００の制御部１１１は、リモコン５０の操作ボタン５７の１つの操作スイッチであるメニューボタンの操作を受け付けると（ステップ３００）、図４に示すコンテンツ検索のメニュー画面２００を表示画面１０１ａに表示する（ステップ３０２）。
【００３１】
このメニュ画面２００は、複数のフオルダが縦列に配列され、前記フオルダ領域２０１で選択されたフオルダに属する複数のコンテンツを一覧表示画面２０２に表示する。そして、フオルダ領域２０１では、常に１つのフオルダがフォーカス状態（選択状態）２０３となっている。この図４では、フオルダ領域２０１ではフオルダＣが選択されている状態を示している。
【００３２】
さて、制御部１１１は、タッチパット部５１の操作信号を監視し、Ｙ座標の移動信号を受け付けると（ステップ３０６）、フオルダ領域２０１に縦列に表示されたフオルダをフォーカス状態２０３がＹ座標の指示に基づいて移動する(ステップ４１４)。ここで、フォーカス状態２０３が上端または下端でさらに移動指示を受け付けると画面スクロールをおこなうように動作する。そして、制御部１１１は、一覧表示画面２０２にフオルダ領域２０１で選択されたフオルダに属するコンテンツを表示し、フオルダ領域２０１での選択が変更されると、この選択にともなってコンテンツの表示を切り替える。
【００３３】
一方、制御部１１１は、X座標の移動信号を受け付けると（ステップ３０８）、一覧表示画面２０２に配列されるコンテンツ一覧を指示方向へ横スクロールさせる（ステップ３１６）。
【００３４】
そして、制御部１１１は、リモコン５０から決定キーの操作を受け付けると（ステップ３１０）、フオルダ領域２０１が非表示になり、一覧表示画面２０２が拡大表示された図６に示すような一覧表示画面２１０が表示され、この一覧表示画面２１０に前記検索されたコンテンツに関する選択肢４０が一覧表示され、当該一覧表示の拡大縮小動作フローが可能になる（ステップ３１２）。
【００３５】
次に、図６と図７及び図９と図１０の画面遷移図を参照しながら、図５と図８の動作フロー図に基づいて一覧表示画面２１０の選択肢４０の選択操作や拡大縮小の動作フローを具体的に説明する。
【００３６】
先ず、図５と図６及び図７を参照して、選択肢４０の選択操作の動作フローを説明する。
【００３７】
図５において、制御部１１１は、メニュ画面２００の操作において、リモコン５０から決定キーの操作を受け付けると、フォーカス状態２０３にあるコンテンツに関する選択肢４０が一覧表示される一覧表示画面２１０を表示部１０１に表示する（ステップ３２０）。この一覧表示画面２１０は、図６の（ａ）図に示すように、コンテンツ表示領域２１１を備え、このコンテンツ表示領域２１１にＮ行Ｍ列の選択肢４０を、予め設定された順番に従って、左列の上から下方へ、次の列の上から下方への順番で配列している。
【００３８】
制御部１１１は、一覧表示画面２１０を表示すると、タッチパット部５１のタッチ操作が予め設定された基準値より強くタッチされたかを監視している（ステップ３２１）。そして、軽くタッチされると、図８に示すステップ３５２に進ませ、強くタッチされたと判定すると、図６の（ｂ）図に示すように、予め設定されたホームポジション（例えば画面中央）に位置する選択し４０ａをフォーカス状態２０３とする（ステップ３２２）。そして、制御部１１１は、この強くタッチされた状態で、Ｘ軸の操作がなされたか否か（ステップ３２）、またはＹ軸の操作がなされたか否か（ステップ３２４）、または決定操がなされたか否か（ステップ３２５）を監視する。即ち、タッチパッド５１を強くタッチするとホームポジションにフォーカス状態２０３が現れ、この状態でタッチパット部５１を摩る操作をすれば摩る方向にフォーカス状態２０３を移動させ、決定操作で、当該選択肢４０に割り当てられた機能を実行させることができる。
【００３９】
ここで、タッチパット部５１を介してＸ軸の操作を行うと、制御部１１１は、図６（ｃ）図に示すように、例えば、タッチパット部５１による右側方向への移動操作を受け付けると、コンテンツ表示領域２１１の表示をタッチパット部５１による指示方向とは逆の方向へ画面をスクロールさせ、フオーカス状態２０３の選択肢４０ａがホームポジションに位置から抜けだすと次にホームポジションに来る選択肢４０ｂをフォーカス状態２０３とすることで、図６の（ｄ）図に示すように、フォーカス状態２０３がタッチパット部５１による右側方向への移動操作に伴って移動するようにする（ステップ３２７）。このホームポジションを維持しつつ画面をスクロールさせる動作を図７で説明する。
【００４０】
図７の（ａ）図において、この実施の形態では、ホームポジションをコンテンツ表示領域２１１の所定の位置に所定の範囲（横幅）で設定している。即ち、コンテンツ表示領域２１１のＸ軸方向の中央にＱの横幅の範囲を備えたホームポジションを設定している。タッチパット部５１により右側方向への操作指示Ｑ１がなされると、コンテンツ表示領域２１１内は操作指示Ｑ１とは逆の右側Ｑ２へ画面スクロールする。この場合、（ｂ）図に示すように、フオーカス状態２０３の選択肢４１ａは画面スクロールＱ２にしたがって移動するが、（ｃ）図に示すように、選択肢４０ａの中心Ｑ３がホームポジションの範囲を越えると、次にホームポジションに移動する選択肢４０ｂをフオーカス状態２０３として、これが（ｄ）図のように左側Ｑ２へ移動する。そして、この動きが繰り替えされることにより、タッチパット部５１により右側方向への操作指示Ｑ１にしたがって選択肢４０が次々にフオーカス状態２０３となる。
【００４１】
図５に戻り、しかし、選択肢４０の配列が終端となると、ホームポジションを維持しようとする動作では最終の選択肢４０をフオーカス状態２０３とすることができない。そこで、この実施の形態では、図６の（ｅ）図に示すように、Ｘ軸方向の左側への移動操作が継続されると、画面スクロールが終了したか否かを監視し（ステップ３２８）、画面スクロールが終了すると、フオーカス状態２０３をタッチパット部５１の座標指示方向（左側方向）へ移動させ（ステップ３２９）、画面スクロールが終了しないと、このステップ３２９をバイパスしてステップ３３０に至る。そして、ステップ３３０では、タッチパット部５１のタッチが解除されたか否かが監視され、タッチ操作が解除されると、ステップ３２１に戻し、タッチ操作が解除されなければステップ３２７に戻る。
【００４２】
一方、ステップ３２７において、タッチパット部５１でＹ軸が操作されると、制御部１１１は、当該移動方向に追随してフォーカス状態２０３をＹ軸の指示方向に移動させ（ステップ３３１）、タッチ操作が解除されるか否かを判定し（ステップ３３２）、解除されればステップ３２１に戻し、解除させなければステップ３３１を継続する。
【００４３】
そして、制御部１１１は、ステップ３２５において、決定操作がなされたと判定すると、当該選択肢４０に割り当てられた機能であるコンテンツを開く操作を実行する。
【００４４】
次に、図８から図１０を参照して一覧表示画面２１０の拡大縮小動作フローを具体的に説明する。先ず、図９を参照して一覧表示画面２１０の特徴を説明する。ここで図９の（ａ）図は最小倍率から拡大表示に移る状態の配列を示し、（ｂ）図はさらに拡大して１行減らした状態の配列を示している。
【００４５】
図９において、制御部１１１は、メニュ画面２００の操作において、リモコン５０から決定キーの操作を受け付けると、フォーカス状態２０３にあるコンテンツに関する選択肢４０が一覧表示される一覧表示画面２１０を表示部１０１に表示する
この一覧表示画面２１０は、コンテンツ表示領域２１１を備え、このコンテンツ表示領域２１１にＮ行Ｍ列、即ち、N行×Ｍ列で求められる最大表示数Ｑ１を表示することができる。例えば、図９の例では、コンテンツ総数Ｑ２が２４個あり、このコンテンツ総数Ｑ２を表示することができる４行６列（最大表示数Ｑ１と同じ）のマトリックスで表示する。そして、この４行６列のマトリックスを表示画面１０１ａに表示する状態を最小倍率としている。制御部１１１は、フオルダ領域２０1で選択されたコンテンツのコンテンツ数Ｑ２から行数と列数を算出して初期画面であるこの一覧表示画面２１０を表示する。
【００４６】
図８に戻り、制御部１１１は、リモコン５０のタッチパット部５１による軽いタッチの座標信号を受け付け、Ｘ座標信号であれば画面を指示方向へ横スクロールさせ（ステップ３５２）、Ｙ軸座標信号であればＹ軸方向（縦方向）の拡大、縮小信号として表示画面１０１ａを制御する（ステップ３５４）。しかしながら、倍率が所定値を超えると、即ち表示画面１０１ａに表示される行数が変化するとコンテンツの配列を変更する（ステップ３５６）。
【００４７】
即ち、図６において、（ａ）図に示すように、制御部１１１は、拡大指示がなされると、その指示速度に応じて表示内容を拡大する。表示内容と表示画面１０１ａとの関係は相対変化なので、拡大は表示画面１０１ａのフレーム１０１ｂを小さくすることと同じと考えることができる。この実施の形態では、左上を基点として拡大縮小を行うように設定しているので、制御部１１１は、拡大指示がなされて、フレーム１０１ｂの下端が４行の領域ｎ４から３行の領域ｎ３に入ると、即ち表示される行数が１行少なくなると、（ｂ）図に示すように「コンテンツ４」がｎ４ｍ１の位置からｎ１ｍ２の位置に移動するように４行表示から３行表示のマトリックス配列に表示を変化させる。ここで、行数は少なくなると、列数が増えることとなるが、これは画面をスクロールさせることで対応させることができる。また、縮小表示では、前記肯定と逆の操作がなされて行数を増やす操作がなされる。
【００４８】
図１０は、行数の変化にともなう一覧表示画面２１０の表示内容の変化を表している。（ａ）図に示すように、行数は変化すると、それにともなって、その変化にともなって、順送りに各コンテンツの表示される位置が変化する。（ｂ）図は（ａ）図の状態から１行減った状態の配列を示している。さらに（ｃ）図は２行となった場合の配列、（ｄ）図は１行となった状態の一覧表示画面２１０を示している。ここで、（ａ）図の状態が最小倍率、（ｄ）図が最大表示倍率となる。なお、拡大縮小の倍率は、（ａ）図よりさらに縮小したり、あるいは（ｄ）からさらに拡大してもよいが、配列変更をしない。
【００４９】
図８に戻り、前記したように、ステップ３５６ではフレーム１０１ｂの下端が現在の行領域から増減されると（ステップ３５６）、所定列の上部の選択枝（コンテンツ）を記憶する（ステップ３５８）。ここで、図９の例では、ｍ１列の上部の選択肢（コンテンツ１）を記憶する。そして、行数の増減に基づいて、制御部１１１は表の並び替えを行い（ステップ３６０）、所定行の選択肢（コンテンツ）が所定行とするように画面スクロールを行う（ステップ３６２）。
【００５０】
ここで、ステップ３５６とステップ３６０は、無くして動作させてもよいが、このステップを備えることにより画面の見易さを良好とすることができる。例えば、記憶する所定行を表示画面１０１ａの中央とすることにより、中央の最上部に配列されていたコンテンツが行数が変化して配列が変わっても、常に中央に存在するので、コンテンツ表示領域２１１に沢山のコンテンツが存在しても、対象とするものが常に中央にあるので、配列変更にともなう迷子や戸惑いを軽減することができる。
【００５１】
さて、制御部１１１は、前記配列変更がなされると、変化した行数を基準として行数の増減を監視する（ステップ３６６）。また、制御部１１１は、最大倍率と最小倍率を監視している。即ち、行数ｎが１行の場合（ステップ３６６）は、これ以上の拡大は無しとして拡大を制限する（ステップ３７０）。一方、表示されるコンテンツ数がコンテンツ総数と同じかあるいは超えると（ステップ３６８）、それ以上の縮小は無しとして縮小を制限する（ステップ３７２）。
【００５２】
以上説明したように、この実施の形態に係るテレビジョン受像機などの情報表示装置によれば、タッチパット部５１のような座標指示装置の操作に基づいて、大量の選択肢４０を見やすい大きさの倍率で一覧表示して、当該一覧表示から目的の選択肢を選択して、当該選択肢に割り当てられた機能を簡単に実行することができる。
【図面の簡単な説明】
【００５３】
【図１】テレビジョン受像機の概要図である。
【図２】テレビジョン受像機の装置ブロック図である。
【図３】コンテンツ検索フロー図である。
【図４】コンテンツ検索画面図である。
【図５】コンテンツ閲覧フロー図である。
【図６】コンテンツ閲覧画面の配列図である。
【図７】コンテンツ閲覧画面の配列図である。
【図８】コンテンツ閲覧フロー図である。
【図９】コンテンツ閲覧画面の配列図である。
【図１０】コンテンツ閲覧画面の配列図である。
【符号の説明】
【００５４】
４０…選択枝、５０…リモコン、５１…タッチパット部、５３…座標検知部、５４…圧力検知部、５６…決定操作スイッチ、５７…操作ボタン、５８…赤外線通信部、５９…記憶部、６０…制御部、６１…振動駆動部、１００…受像機本体、１０１…表示部、１０１ａ…表示画面、１０２…記憶部、１０３…チューナ、１０５…音声出力部、１０６…アンテナ、１０７…インターネット、１０８…ネットワーク通信部、１０９…赤外線通信部、１１０…記憶部、１１１…制御部、２００…メニュ画面、２０１…フオルダ領域、２０２…一覧表示画面、２０３…フォーカス状態、２１０…一覧表示画面、２１１…コンテンツ表示領域。
【図１】
0004951569.tif 000002
【図２】
0004951569.tif 000003
【図３】
0004951569.tif 000004
【図４】
0004951569.tif 000005
【図５】
0004951569.tif 000006
【図６】
0004951569.tif 000007
【図７】
0004951569.tif 000008
【図８】
0004951569.tif 000009
【図９】
0004951569.tif 000010
【図１０】
0004951569.tif 000011